(57)【要約】  ユニットに取付可能なコネクタを具備するコネクタ端子は、アダプタ係合端部、ユニット係合端部、及びアダプタ係合端部とユニット係合端部との間に位置する取付部材であって、コネクタ本体をユニットに取り付けるための取付部材を含んでいる。インサートが、コネクタ本体を通じて延在しており、ケーブルインターフェース端部、ユニットインターフェース端部、及びケーブルインターフェース端部とユニットインターフェース端部との間に位置するコネクタ本体を有している。１つ以上の両側接点が、インサートに受容されている。両側接点が、ケーブルの少なくとも１つの導体に終端するように構成されているケーブル端末端部である一方の端部と、ユニットの少なくとも１つの導体を終端処理するように構成されているユニット端末端部である他方の端部と、を有している。ユニットに取付可能なコネクタは、ケーブルシーリングアダプタと嵌合するように構成されている。ケーブルシーリングアダプタは、接点を有していない。
2019533891.tif 000002
【特許請求の範囲】
【請求項１】
ユニットに取付可能なコネクタであって、
アダプタ係合端部と、前記アダプタ係合端部の反対側に位置するユニット係合端部と、前記アダプタ係合端部と前記ユニット係合端部との間に位置する取付部材と、を有しているコネクタ本体であって、前記取付部材が、前記コネクタ本体を前記ユニットに取り付けるように構成されている、前記コネクタ本体と、
前記コネクタ本体を通じて延在しているインサートであって、ケーブルインターフェース端部と前記ケーブルインターフェース端部の反対側に位置するユニットインターフェース端部との間に延在している内側ボアと、前記ケーブルインターフェース端部と前記ユニットインターフェース端部との間に位置するコネクタ本体インターフェース部分と、を有している前記インサートと、
前記インサートの前記内側ボアに受容されている少なくとも１つの両側接点であって、ケーブルの少なくとも１つの導体に終端するように構成されているケーブル端末端部である一方の端部と、前記ユニットの少なくとも１つの導体を終端処理するように構成されているユニット端末端部である他方の端部と、を有している前記両側接点と、
を備えていることを特徴とするユニットに取付可能なコネクタ。
【請求項２】
前記両側接点の前記ケーブル端末端部が、前記ユニット端末端部とは異なることを特徴とする請求項１に記載のユニットに取付可能なコネクタ。
【請求項３】
前記ケーブル端末端部が、クランプ式端子とされ、
前記ユニット端末端部が、圧着式端子とされることを特徴とする請求項２に記載のユニットに取付可能なコネクタ。
【請求項４】
前記インサートの前記ケーブルインターフェース端部が、クランプ式固定具を受容するための少なくとも１つの穴を含んでおり、
前記クランプ式固定具が、前記両側接点の前記クランプ式端子に係合することを特徴とする請求項３に記載のユニットに取付可能なコネクタ。
【請求項５】
前記取付部材が、外方に延在しているフランジとされることを特徴とする請求項１に記載のユニットに取付可能なコネクタ。
【請求項６】
前記フランジが、固定具を受容するための少なくとも１つの取付穴を含んでいることを特徴とする請求項５に記載のユニットに取付可能なコネクタ。
【請求項７】
前記フランジが、前記フランジにトルクを作用させるための把持面を含んでいることを特徴とする請求項５に記載のユニットに取付可能なコネクタ。
【請求項８】
前記取付部材が、シール部材を受容するための溝を前記取付部材の取付面に含んでおり、
前記取付面が、前記コネクタ本体の前記ユニット係合端部に面していることを特徴とする請求項１に記載のユニットに取付可能なコネクタ。
【請求項９】
前記インサートの前記ケーブルインターフェース端部が、前記コネクタ本体の前記アダプタ係合端部を貫通して、且つ、前記コネクタ本体の前記アダプタ係合端部を越えて延在しており、
前記インサートの前記ユニットインターフェース端部が、前記コネクタ本体の前記ユニット係合端部を貫通して、且つ、前記コネクタ本体の前記ユニット係合端部を越えて延在していることを特徴とする請求項１に記載のユニットに取付可能なコネクタ。
【請求項１０】
前記内側ボアが、前記内側ボアを複数の区画に分割するための仕切板を含んでおり、前記両側接点が、複数の前記区画のうち一の区画に受容されており、
さらなる両側接点が、前記ケーブルの少なくとも１つの導体に終端するように構成されているケーブル端末端部とされる一方の端部と、前記ユニットの少なくとも１つの前記導体を終端処理するように構成されているユニット端末端部とされる他方の端部と、を有しており、前記さらなる両側接点が、複数の前記区画のうち他の区画に受容されていることを特徴とする請求項１に記載のユニットに取付可能なコネクタ。
【請求項１１】
前記インサートの前記内側ボアが、略シリンドリカル状の形状とされることを特徴とする請求項１０に記載のユニットに取付可能なコネクタ。
【請求項１２】
前記コネクタ本体の前記アダプタ係合端部が、アダプタの対応するネジ部と係合するための雄ネジ部を含んでおり、
前記コネクタ本体の前記ユニット係合端部が、前記ユニットの開口部を通じて延在する大きさとされることを特徴とする請求項１に記載のユニットに取付可能なコネクタ。
【請求項１３】
前記ユニット係合端部が、前記ユニットの対応するネジ部と係合するための雄ネジ部を含んでいることを特徴とする請求項１２に記載のユニットに取付可能なコネクタ。
【請求項１４】
コネクタ端子であって、
ユニットに取付可能なコネクタであって、
アダプタ係合端部と、前記アダプタ係合端部の反対側に位置するユニット係合端部と、前記アダプタ係合端部と前記ユニット係合端部との間に位置する取付部材であって、コネクタ本体をユニットに取り付けるように構成されている前記取付部材と、を有している前記コネクタ本体と、
前記コネクタ本体を通じて延在しているインサートであって、ケーブルインターフェース端部と前記ケーブルインターフェース端部の反対側に位置するユニットインターフェース端部との間に延在している内側ボアと、前記ケーブルインターフェース端部と前記ユニットインターフェース端部との間に位置するコネクタ本体インターフェース部分と、を有している前記インサートと、
前記インサートの前記内側ボアに受容されている少なくとも１つの両側接点と、
を含んでいる前記ユニットに取付可能なコネクタと、
前記ユニットに取付可能なコネクタと嵌合可能とされるケーブルシーリングアダプタであって、前記ケーブルシーリングアダプタが、嵌合端部を有しているハウジングであって、前記嵌合端部が、前記コネクタ本体の前記アダプタ係合端部と係合するように、且つ、前記インサートの前記ケーブルインターフェース端部と前記嵌合端部の反対側に位置するケーブル固定端部とを受容するように構成されている、前記ハウジングを含んでおり、前記ケーブル固定端部が、ケーブルを終端処理するように構成されており、前記ケーブルシーリングアダプタが、接点を有していない、前記ケーブルシーリングアダプタと、
を有している前記コネクタ端子において、
前記ユニットに取付可能なコネクタの前記両側接点が、前記ケーブルシーリングアダプタによって支持されている前記ケーブルの少なくとも１つの導体に終端するように構成されているケーブル端末端部とされる一方の端部と、前記ユニットの少なくとも１つの導体を終端処理するように構成されているユニット端末端部とされる他方の端部と、を有していることを特徴とするコネクタ端子。
【請求項１５】
前記コネクタ端子が、前記インサートの前記ケーブルインターフェース端部と前記ハウジングの内面との間において前記ハウジングの内側に配置されている少なくとも１つのシーリング部材を備えていることを特徴とする請求項１４に記載のコネクタ端子。
【請求項１６】
前記コネクタ端子が、前記取付部材によって前記取付部材の取付面に支持されているさらなるシーリング部材を備えており、
前記取付面が、前記コネクタ本体の前記ユニット係合端部に面していることを特徴とする請求項１５に記載のコネクタ端子。
【請求項１７】
前記ハウジングの前記ケーブル固定端部が、前記ケーブルを圧縮するようになっているナット部材を受容するように構成されていることを特徴とする請求項１６に記載のコネクタ端子。
【請求項１８】
ケーブルシーリング部材が、前記ナット部材に受容されることを特徴とする請求項１７に記載のコネクタ端子。
【請求項１９】
前記両側接点の前記ケーブル端末端部が、前記ユニット端末端部とは異なることを特徴とする請求項１４に記載のコネクタ端子。
【請求項２０】
前記ケーブル端末端部が、クランプ式端子とされ、
前記ユニット端末端部が、圧着式端子とされることを特徴とする請求項１９に記載のコネクタ端子。
【請求項２１】
前記インサートの前記ケーブルインターフェース端部が、クランプ式固定具を受容するための少なくとも１つの穴を含んでおり、
前記クランプ式固定具が、前記両側接点の前記クランプ式端子に係合することを特徴とする請求項２０に記載のコネクタ端子。
【請求項２２】
前記取付部材が、外方に延在しているフランジとされることを特徴とする請求項１４に記載のコネクタ端子。
【請求項２３】
前記コネクタ端子が、前記インサートの前記内側ボアに受容されているさらなる両側接点であって、前記ケーブルの少なくとも１つの導体に終端するように構成されているケーブル端末端部とされる一方の端部と、前記ユニットの少なくとも１つの導体を終端処理するように構成されているユニット端末端部とされる他方の端部と、を有している前記両側接点を備えていることを特徴とする請求項１４に記載のコネクタ端子。
【請求項２４】
前記コネクタ本体の前記アダプタ係合端部が、アダプタの対応するネジ部に係合するための雄ネジ部を含んでおり、
前記コネクタ本体の前記ユニット係合端部が、前記ユニットの開口部を通じて延在する大きさとされることを特徴とする請求項１４に記載のコネクタ端子。
【請求項２５】
前記両側接点が、一体構造部材とされることを特徴とする請求項１４に記載のコネクタ端子。
【請求項２６】
コネクタ端子をユニットに組み付けるための方法であって、前記コネクタ端子が、ユニットに取付可能なコネクタとケーブルシーリングアダプタとを含んでいる、前記方法において、
前記ユニットの少なくとも１つの導体を前記ユニットに取付可能なコネクタの両側接点のユニットインターフェース端部に終端させるステップと、
前記ユニットに取付可能なコネクタのコネクタ本体を前記ユニットに取り付けるステップと、
前記両側接点の前記ユニットインターフェース端部の反対側に位置する前記ユニットに取付可能なコネクタの前記両側接点のケーブルインターフェース端部にケーブルの少なくとも１つの導体を終端処理することによって、前記ケーブルを据え付けるステップと、
前記ケーブルを据え付けるステップの後に、前記ケーブルシーリングアダプタを前記ケーブルに組み付け、前記ユニットに取付可能なコネクタのケーブルインターフェース端部が前記ケーブルシーリングアダプタに受容されるように、前記ケーブルシーリングアダプタの端部を前記ユニットに取付可能なコネクタの前記コネクタ本体と嵌合させるステップと、
を備えていることを特徴とする方法。
【請求項２７】
前記ユニットの少なくとも１つの前記導体を前記両側接点の前記ユニットインターフェース端部に終端させるステップが、前記ユニットインターフェース端部を圧着することを含んでいることを特徴とする請求項２６に記載の方法。
【請求項２８】
前記ケーブルの少なくとも１つの前記導体を終端処理するステップが、前記両側接点のケーブル端末端部を圧着することを含んでいることを特徴とする請求項２７に記載の方法。
【請求項２９】
前記両側接点が、一体構造とされ、
前記ケーブルシーリングアダプタが、接点を有していないことを特徴とする請求項２６に記載の方法。
【請求項３０】
前記方法が、前記コネクタ本体のユニット係合端部を前記ユニットの開口部を貫通させて延在させるステップを備えていることを特徴とする請求項２６に記載の方法。
【請求項３１】
前記方法が、前記コネクタ本体の取付部材を前記ユニットに当接させるステップを備えていることを特徴とする請求項２６に記載の方法。
【請求項３２】
前記方法が、前記取付部材を前記ユニットに固定するステップを備えていることを特徴とする請求項３１に記載の方法。
【請求項３３】
シーリング部材が、前記ユニットと前記取付部材との間に配置されていることを特徴とする請求項３１に記載の方法。
【請求項３４】
前記ユニットの少なくとも１つの前記導体を終端処理するステップが、前記ユニットの内側で実施され、
前記ケーブルを据え付けるステップが、前記ユニットの外側で実施されることを特徴とする請求項２６に記載の方法。
【請求項３５】
前記ケーブルシーリングアダプタの端部が、前記ユニットに取付可能なコネクタの前記コネクタ本体と螺合可能に係合されることを特徴とする請求項３４に記載の方法。
【請求項３６】
前記ケーブルが、電源ケーブルとされることを特徴とする請求項２６に記載の方法。
【発明の詳細な説明】
【技術分野】
【０００１】
［関連出願］
本出願は、米国特許出願第１５／３５０５０９号明細書に基づく優先権を主張するものである。当該米国特許出願の趣旨は、参照により本明細書に組み込まれている。
【０００２】
本発明は、例えば屋外対応接点のようなコネクタ端子、及び当該コネクタ端子を組み立てるための方法に関する。
【背景技術】
【０００３】
電気コネクタを製品設計又はユニットに組み込むことが、特に周囲シール及び耐久性が必要とされる屋外用途の場合に、複雑且つコスト高になる場合がある。これらコネクタのケーブルは、一般にはコネクタの構成部品に事前に終端されており、現場で据付可能とはなっていない。このことは、大きく且つ現場に出荷するのに費用が嵩む長く重いケーブルを取り扱う場合に、特に面倒でコストが嵩む。
【０００４】
従って、コネクタ接点をユニットに容易に組み込み、ケーブルの現場据付に要するコストを低減させつつ、耐久性及び屋外用途向けの周囲シールを実現させるというニーズが存在する。
【発明の概要】
【発明が解決しようとする課題】
【０００５】
従って、本発明は、アダプタ係合端部と、アダプタ係合端部の反対側に位置するユニット係合端部と、アダプタ係合端部とユニット係合端部との間に位置する取付部材であって、コネクタ本体をユニットに取り付けるように構成されている取付部材と、を有しているコネクタ本体を具備するユニットに取付可能なコネクタを提供する。インサートは、コネクタ本体を通じて延在している。インサートは、ケーブルインターフェース端部とケーブルインターフェース端部の反対側に位置するユニットインターフェース端部との間に延在している内側ボアを有している。コネクタ本体インターフェース部分は、ケーブルインターフェース端部とユニットインターフェース端部との間に位置している。少なくとも１つの両側接点は、インサートの内側ボアに受容されている。両側接点は、ケーブルの少なくとも１つの導体に終端するように構成されているケーブル端末端部である一方の端部と、ユニットの少なくとも１つの導体を終端処理するように構成されているユニット端末端部である他方の端部と、を有している。好ましい実施例では、両側接点のケーブル端末端部が、ユニット端末端部とは異なる。好ましい実施例では、両側接点が、一体構造部材とされる。
【０００６】
また、本発明は、アダプタ係合端部と、アダプタ係合端部の反対側に位置するユニット係合端部と、アダプタ係合端部とユニット係合端部との間に位置する取付部材であって、コネクタ本体をユニットに取り付けるように構成されている取付部材と、を有しているコネクタ本体を具備するユニットに取付可能なコネクタを備えているコネクタ端子を提供する。インサートは、コネクタ本体を通じて延在している。インサートは、ケーブルインターフェース端部とケーブルインターフェース端部の反対側に位置するユニットインターフェース端部との間に延在している内側ボアを有している。コネクタ本体インターフェース部分は、ケーブルインターフェース端部とユニットインターフェース端部との間に位置している。少なくとも１つの両側接点は、インサートの内側ボアに受容されている。ケーブルシーリングアダプタは、ユニットに取付可能なコネクタと嵌合可能とされる。ケーブルシーリングアダプタが、嵌合端部を有しているハウジングであって、嵌合端部が、コネクタ本体のアダプタ係合端部と係合するように、且つ、インサートのケーブルインターフェース端部と嵌合端部の反対側に位置するケーブル固定端部とを受容するように構成されている、ハウジングを含んでいる。ケーブル固定端部が、ケーブルを終端処理するように構成されている。ケーブルシーリングアダプタが、接点を有していない。好ましい実施例では、コネクタ端子は電力端子とされ、ケーブルは電力ケーブルとされる。好ましい実施例では、両側接点が、一体構造部材とされる。
【０００７】
本発明は、コネクタ端子をユニットに組み付けるための方法であって、コネクタ端子が、ユニットに取付可能なコネクタとケーブルシーリングアダプタとを含んでいる、方法において、ユニットの少なくとも１つの導体をユニットに取付可能なコネクタの両側接点のユニットインターフェース端部に終端させるステップと；ユニットに取付可能なコネクタのコネクタ本体をユニットに取り付けるステップと；ケーブルの少なくとも１つの導体を両側接点のユニットインターフェース端部の反対側に位置するユニットに取付可能なコネクタの両側接点のケーブルインターフェース端部に終端させることによって、ケーブルを据え付けるステップと；ケーブルを据え付けるステップの後に、ケーブルシーリングアダプタをケーブルに組み付け、ユニットに取付可能なコネクタのケーブルインターフェース端部がケーブルシーリングアダプタに受容されるように、ケーブルシーリングアダプタの端部をユニットに取付可能なコネクタのコネクタ本体と嵌合させるステップと；を備えていることを特徴とする方法を提供する。
【０００８】
本発明のより完全な理解と本発明の付随する利点は、添付図面に関連して検討する場合に発明の詳細な説明を参照することによって容易に得られるだろう。
【図面の簡単な説明】
【０００９】
【図１】本発明の典型的な実施例におけるコネクタ端子の斜視図である。
【図２】ケーブルシーリングアダプタと嵌合するユニットに取付可能なコネクタを表わす、図１のコネクタ端子の分解斜視図である。
【図３】図２に表わすユニットに取付可能なコネクタの分解斜視図である。
【図４】図２の表わすケーブルシーリングアダプタの分解斜視図である。
【図５】ユニットに取り付けられているコネクタ端子を表わす、図１のコネクタ端子組立体の断面図である。
【図６】本発明の代替的な実施例におけるユニットに取付可能なコネクタの分解斜視図である。
【発明を実施するための形態】
【００１０】
図１〜図６から理解されますように、本発明は、例えば電力端子のようなコネクタ端子１０、及び当該コネクタ端子を特に電気通信無線ユニットのようなユニットに組み付けるための方法に関する。本発明のコネクタ端子は、事前に端末処理されたケーブル組立体やワイヤハーネスを利用する必要無く、例えば電力ケーブルのようなケーブルを現場で端末処理することができる現場据付可能機能を有するように構成されている。このことは、現場に出荷するには嵩張り且つ高コストである長く重いケーブルを取り扱う場合に特に有益である。本発明では、ユニットの筐体の外側でケーブルを端末処理するために必要な作業空間及び電気的接続が不要となるので、コネクタの小型化及び耐久性の向上を実現することができる。また、このような構成によって、導体の端末処理のために、特別な工具ではなく、標準的な工具を利用することができる。本発明におけるコネクタの端末処理は、好ましくは電力用途のために利用されるが、コネクタ端子１０は、例えば信号のような他の用途のためにも利用することができる。
【００１１】
コネクタ端子１０は、ケーブルシーリングアダプタ２００と嵌合するユニットに取付可能なコネクタ１００を含んでいる。ユニットに取付可能なコネクタ１００は、ユニットの筐体又はパネル１２（図５参照）に取り付けられるように構成されている。ケーブルシーリングアダプタ２００は端末処理されており、ケーブルＣを外部環境から密閉している。ユニットに取付可能なコネクタ１００とケーブルシーリングアダプタ２００とが嵌合された場合に、ユニットとケーブルＣとの間において電気的且つ機械的接続が実現される。
【００１２】
図３に表わすように、ユニットに取付可能なコネクタ１００は、コネクタ本体１０２と、コネクタ本体１０２に受容されているインサート１０４と、インサート１０４に受容されている１つ以上の両側接点１０６と、を一般に含んでいる。コネクタ本体１０２は、ケーブルシーリングアダプタ２００と適合するアダプタ係合端部１１０と、ユニットと適合する反対側のユニット取付端部１１２と、アダプタ係合端部１１０とユニット取付端部１１２との間に設けられた取付部材１１４と、を含んでいる。コネクタ本体１０２は、取付部材１１４を除いて、略円筒状の形状とされる。アダプタ係合端部１１０は、好ましくは、ケーブルシーリングアダプタ２００と係合するために雄ネジ部１１６を含んでいる。アダプタ係合端部１１０は、ネジを備えていることが望ましいが、例えばバヨネット式係合部のような既知のタイプの取付部位を含んでいる場合がある。
【００１３】
好ましくは、取付部材１１４は、図１及び図２に最良に表わすように、外方に延在しているフランジとされる。１つ以上の取付穴１１８が、コネクタ本体１０２をユニットのパネル又は筐体１２に取り付けるために固定具を受容するための、取付部材１１４に配設されている。取付部材１１４は、１つ以上の取付穴１１８が配設されていることを条件として、例えば略四角状のような任意の形状であって良い。取付部材１１４は、ユニットに取付可能なコネクタ１００がユニットのパネル又は筐体１２に取り付けられた場合にユニットのパネル又は筐体１２に当接するために、ユニット取付端部１１２に面している取付面１２０を含んでいる。好ましい実施例では、取付部材１１４の取付面１２０は、例えばＯリングやガスケットのようなシール部材１２４を受容するための環状の溝１２２を含んでいる。
【００１４】
図６は、ユニットに取付可能なコネクタ１００のコネクタ本体１０２′についての代替的な構成を表わす。コネクタ本体１０２′は、上述の実施例のコネクタ本体１０２に類似している。しかしながら、コネクタ本体１０２′がユニットに螺合可能に取り付けられており、ユニットにボルト締結されていない点において、コネクタ本体１０２′は、上述の実施例のコネクタ本体１０２と相違する。上述の実施例のコネクタ本体１０２と同様に、コネクタ本体１０２′は、ケーブルシーリングアダプタ２００に係合するための雄ネジ部を具備する、アダプタ係合端部１１０を含んでいる。また、上述の実施例のコネクタ本体１０２とは異なり、コネクタ本体１０２′のユニット係合端部１１２′は、ユニットのパネル又は筐体１２に螺合可能に係合するための雄ネジ部６００を含んでいる。好ましくは、取付部材１１４′は、コネクタ本体１０２′をユニットのパネル又は筐体１２に雄ネジ部６００を介して取り付けた場合にコネクタ本体１０２′の回転及びコネクタ本体１０２′に対するトルクの作用を容易にするための、複数の把持面６０２を含んでいる。
【００１５】
インサート１０４は、コネクタ本体１０２に受容されており、コネクタ本体１０２を貫通して延在している。インサート１０４は、ケーブルインターフェース端部１３０と、反対側のユニットインターフェース端部１３２と、ケーブルインターフェース端部１３０とユニットインターフェース端部１３２との間に配設されているコネクタ本体インターフェース部分１３４と、を一般に含んでいる。ケーブルインターフェース端部１３０は、コネクタ本体１０２のアダプタ係合端部１１０を貫通して、且つコネクタ本体１０２のアダプタ係合端部１１０を越えて延在しており、ユニットインターフェース端部１３２は、コネクタ本体１０２のユニット係合端部１１２を貫通して、且つコネクタ本体１０２のユニット係合端部１１２を越えて延在しており、コネクタ本体インターフェース端部１３４は、コネクタ本体１０２の内側に受容されている。ケーブルインターフェース端部１３０の端面１４０は、両側接点１０６にアクセスするための１つ以上の開口部１４０（図２参照）を含んでいる。
【００１６】
インサート１０４の内側ボア１３６は、好ましくは略シリンドリカル状とされ、内側ボア１３６を複数の区画に分割するための１つ以上の仕切板１４４を含んでいる。当該区画は、図５に表わすように、両側接点１０６それぞれを支持している。
【００１７】
両側接点１０６はそれぞれ、互いに対して反対側に配置された２つの端末側端部を含んでおり、一方の端末側端部が、ケーブル端末端部１５０であり、他方の端末側端部が、ユニット端末端部１５２である。両側接点１０６は、好ましくは単一部品とされ、又は一体形成されている。ケーブル端末端部１５０は、ケーブルＣの導体に電気的且つ機械的に接続するように、及びケーブルＣの導体を端末処理するように構成されている。ユニット端末端部１５２は、ユニットの導体に電気的且つ機械的に接続するように、及びユニットの導体を端末処理するように構成されている。好ましい実施例では、ケーブル端末端部１５０とユニット端末端部１５２とは、異なるタイプの端末機構とされる。例えば、ケーブル端末端部１５０は、ケーブル端末端部１５０によってバネ式クランプ又はクランプ式固定具を介して、例えばネジ１６０を介してケーブルＣの導体を締め付けるクランプ式端子とされ、ユニット端末端部１５２は、ユニット端末端部１５２でユニットの導体を圧着する圧着式端子とされる。代替的には、ケーブル端末端部１５０とユニット端末端部１５２とは、同一のタイプの端末機構とされる。ケーブル端末端部１５０は、ネジ１６０のようなクランプ式固定具を利用するが、ネジ１６０は、穴１３８を通じてユニットに取付可能なコネクタ１００の外側から、両側接点１０６の対応する穴１５８（図５参照）を通じてインサート１０４の内側ボア１３６の内部に容易に挿入可能とされ、これにより、両側接点１０６のクランプケーブル端末端部１５０をケーブルＣの導体に締め付けることができる。
【００１８】
図４に表わすように、ケーブルシーリングアダプタ２００は、ハウジング２０２と、例えば厚いケーブルシーリングガスケットのようなケーブルＣを密封するための主シーリング部材２０４と、例えばＯリングやガスケットのようなハウジング２０２に受容されている副シーリング部材２０６と、圧縮ナット２０８とを一般に含んでいる。また、ケーブルシーリングアダプタ２００は、ケーブルガスケット圧縮器２１０と、ケーブル遮蔽リング２１２と、ケーブルリデューサ２１４とを含んでいる。ハウジング２０２は、略円筒状とされ、コネクタ本体１０２のアダプタ係合端部１１０と係合するように且つインサート１０４のケーブルインターフェース端部１３０を受容するように構成されている嵌合端部２２０を具備している。好ましい実施例では、嵌合端部２２０の雌ネジ部２３０が、コネクタ本体１０２の雄ネジ部１１６と係合するようになっている。反対側の嵌合端部２２０は、ケーブルＣを端末処理するように構成されているケーブル固定端部２２２とされる。ケーブル固定端部２２２は、圧縮ナット２０８の対応するネジ部２２６（図５参照）と係合する雄ネジ部２２４を含んでいる。ネジ部以外の任意の既知の取付手段を、例えばバヨネット式取付具を利用することもできる。
【００１９】
コネクタ端子１０は、最初にユニットに取付可能なコネクタ１００のユニット取付端部１１２をユニットのパネル又は筐体１２に電気的且つ機械的に接続することによって組み立てられる。電気的且つ機械的な接続を実現するために、ユニットの1つ以上の導体が、例えば圧着によって、ユニットに取付可能なコネクタ１００の両側接点１０６それぞれのユニットインターフェース端部１５２に終端される。このステップは、好ましくは、ユニットの内側で発生する。図５に表わすように、コネクタ本体１０２のユニット係合端部１１２は、ユニットのパネル又は筐体１２の開口部に受容され且つ当該開口部を通じて延在する大きさとされる。従って、ユニットに取付可能なコネクタ１００のコネクタ本体１０２はユニットに取付可能とされる。例えばボルトのような固定具を、取付フランジ１１４の取付穴１１８を貫通して、ユニットのパネル又は筐体１２の内部に延在させることによって、ユニットに取付可能なコネクタ１００の取付が完了する。代替的には、コネクタ本体が、雄ネジ部６００を介して、ユニットのパネル又は筐体１２に螺合可能に取り付けられる（図６参照）。取り付けられた場合には、取付部材１１４の取付面１２０が、シール部材１２４と共に、ユニットのパネル又は筐体１２に当接又は略当接する。
【００２０】
ユニットに取付可能なコネクタ１００がユニットに取り付けられると、ケーブルＣが、終端処理することによって、例えばネジ又はバネ式クランプを介してユニットに取付可能なコネクタ１００の両側接点１０６それぞれのケーブルインターフェース端部１５０にケーブルＣの導体それぞれを締め付けることによって、当該ユニットに終端される。ユニットに取付可能なコネクタ１００は、終端処理のための両側接点１０６を含んでいるので、ケーブルシーリングアダプタ２００のために接点は必要とされない。従って、ケーブルシーリングアダプタ２００は接点を全く必要としない。好ましくは、ケーブルＣを据え付けるステップが、ユニットの外側で発生する。
【００２１】
ケーブルシーリングアダプタ２００は、ケーブルＣに組み付けられ、ユニットに取付可能なコネクタ１００のケーブル係合端部１１０に接続される。圧縮ナット２０８は、ケーブルシーリングアダプタ２００のハウジング２０２に向かって前進され、これによりケーブルＣの下処理済の端部を終端処理及び密封することができる。そして、嵌合端部２２０は、ケーブルシーリングアダプタ２００をユニットに取付可能なコネクタ１００に固定するために、ユニットに取付可能なコネクタ１００のインサート１０４のケーブルインターフェース端部１３０が嵌合端部２２０に受容されるように、ユニットに取付可能なコネクタ１００のコネクタ本体１０２のケーブル係合端部１１０と接続する。
【００２２】
本発明を説明するために特定の実施例が選択されているが、当業者であれば理解可能なように、特許請求の範囲で規定される発明の範囲から逸脱しない限り、様々な変更及び改良をすることができる。例えば、本発明のコネクタ端子は、好ましくは屋外用途のために適切な周囲シールを備えた状態で利用されるが、コネクタ端子は、屋内用途のためであれば周囲シールを備えていてもいなくても利用可能とされる。
【符号の説明】
【００２３】
１０    コネクタ端子
１２    パネル／筐体
１００    ユニットに取付可能なコネクタ
１０２    コネクタ本体
１０２′  コネクタ本体
１０４    インサート
１０６    両側接点
１１０    アダプタ係合端部
１１２    ユニット取付端部
１１４    取付部材（取付フランジ）
１１４′  取付部材
１１６    雄ネジ部
１１８    （取付部材１１４の）取付穴
１２０    （取付部材１１４の）取付面
１２４    シール部材
１３０    ケーブルインターフェース端部
１３２    ユニットインターフェース端部
１３４    コネクタ本体インターフェース部分
１３６    （インサート１０４の）内側ボア
１３８    穴
１４０    （ケーブルインターフェース端部１３０の）端面
１５０    ケーブル端末端部（ケーブルインターフェース端部）
１５２    ユニット端末端部（ユニットインターフェース端部）
１５８    穴
１６０    ネジ
２００    ケーブルシーリングアダプタ
２０２    ハウジング
２０４    主シーリング部材
２０６    副シーリング部材
２０８    圧縮ナット
２１０    ケーブルガスケット圧縮器
２１２    ケーブル遮蔽リング
２１４    ケーブルリデューサ
２２０    嵌合端部
２２２    ケーブル固定端部
２２４    （ケーブル固定端部２２２の）雄ネジ部
２２６    （圧縮ナット２０８の）ネジ部
２３０    （嵌合端部２２０の）雌ネジ部
６００    雄ネジ部
６０２    把持面
Ｃ    ケーブル
【図１】
2019533891.tif 000003
【図２】
2019533891.tif 000004
【図３】
2019533891.tif 000005
【図４】
2019533891.tif 000006
【図５】
2019533891.tif 000007
【図６】
2019533891.tif 000008
【国際調査報告】
2019533891.tif 000009
2019533891.tif 000010
2019533891.tif 000011